【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
妨害禁止モードがユーザのモバイルデバイス上で作動させられたときにサーバによって一時的に無効にされる１つ以上の通信フィーチャの選択を前記ユーザから受信する工程であって、前記１つ以上の通信フィーチャは、前記ユーザに属する１つ以上の付随的なデバイス上でアクセス可能であり、前記ユーザのモバイルデバイス上でアクセス可能でない、工程と、
前記サーバが、前記モバイルデバイスが前記妨害禁止モードを作動させたことを示す妨害禁止通知を前記ユーザの前記モバイルデバイスから受信する工程であって、前記妨害禁止通知は、前記モバイルデバイスの表示画面が下方に向いている物理的配向を示している、工程と、
前記サーバが、前記モバイルデバイスの前記表示画面が下方に向いている前記物理的配向を示している前記妨害禁止通知を受信することに応じて、前記ユーザに属する前記１つ以上の付随的なデバイス上でアクセス可能な前記１つ以上の通信フィーチャを一時的に無効にする工程と、
を備える、コンピュータ実装方法。
【請求項２】
前記妨害禁止モードが前記ユーザの前記モバイルデバイス上で作動させられたときに一時的に無効にされる、通信サービスのうち前記モバイルデバイスに関連付けられている通信フィーチャの前記ユーザによる選択を受信する工程と、
前記モバイルデバイスが前記妨害禁止モードを作動させたとき、前記モバイルデバイスに関連付けられている、選択された前記通信フィーチャを一時的に無効にする工程と、
をさらに備える、請求項１に記載のコンピュータ実装方法。
【請求項３】
前記モバイルデバイスに関連付けられている選択された前記通信フィーチャを一時的に無効にする工程は、前記モバイルデバイスによる新しい電子メールメッセージの受信を一時的に停止することを含む、請求項２に記載の方法。
【請求項４】
前記モバイルデバイスに関連付けられている選択された前記通信フィーチャを一時的に無効にする工程は、前記モバイルデバイスに対する着信呼を一時的にブロックすることを含む、請求項２に記載の方法。
【請求項５】
前記モバイルデバイスに関連付けられている選択された前記通信フィーチャを一時的に無効にする工程と、前記１つ以上の付随的なデバイス上でアクセス可能な前記１つ以上の通信フィーチャを一時的に停止する工程とは、前記モバイルデバイスと前記１つ以上の付随的なデバイスとによる少なくともいくつかの同期メッセージの受信を一時的に停止することを含む、請求項２に記載の方法。
【請求項６】
前記モバイルデバイスに関連付けられている選択された前記通信フィーチャを一時的に無効にする工程と、前記１つ以上の付随的なデバイス上でアクセス可能な前記１つ以上の通信フィーチャを一時的に停止する工程とは、前記モバイルデバイスと前記１つ以上の付随的なデバイスとに送信される少なくともいくつかの通信メッセージを遮断することを含む、請求項２に記載の方法。
【請求項７】
前記１つ以上の付随的なデバイス上でアクセス可能な前記１つ以上の通信フィーチャを一時的に無効にする工程は、前記１つ以上の付随的なデバイスに対応するコンピュータに対する新しい電子メールの受信を一時的に停止することを含む、請求項１に記載の方法。
【請求項８】
前記１つ以上の付随的なデバイス上でアクセス可能な前記１つ以上の通信フィーチャを一時的に無効にする工程は、前記１つ以上の付随的なデバイスのうちの１つに対応する電話機に対する着信呼を一時的にブロックすることを含む、請求項１に記載の方法。
【請求項９】
前記モバイルデバイスが前記妨害禁止モードからアクティブ・モードに切り替わったことを示す前記モバイルデバイスからのアクティブ通知を受信する工程と、
受信した前記アクティブ通知に応じて、前記１つ以上の付随的なデバイス上でアクセス可能な一時的に無効にした前記１つ以上の追加の通信フィーチャを有効にする、工程と、
をさらに備える請求項１に記載の方法。
【請求項１０】
前記モバイルデバイスからの前記アクティブ通知は、前記モバイルデバイスの第２物理的配向に基づく、請求項９に記載の方法。
【請求項１１】
前記モバイルデバイスの前記第２物理的配向は前記モバイルデバイスの前記表示画面が下方に向いていない配向を含む、請求項１０に記載の方法。
【請求項１２】
妨害禁止モードがユーザのモバイルデバイス上で作動させられたときにサーバによって一時的に無効にされる１つ以上の通信フィーチャの選択を前記ユーザから提供する工程であって、前記１つ以上の通信フィーチャは、前記ユーザに属する１つ以上の付随的なデバイス上でアクセス可能であり、前記ユーザのモバイルデバイス上でアクセス可能でない、工程と、
前記ユーザの前記モバイルデバイスが静止している表示画面下向き状態または動いている表示画面下向き状態のうちの１つの状態であるか否かを検知する工程と、
前記モバイルデバイスが前記静止している表示画面下向き状態または前記動いている表示画面下向き状態のうちの少なくとも１つの状態である場合、妨害禁止通知を送信し、前記モバイルデバイスに関連付けられている第１通信フィーチャと、前記１つ以上の付随的なデバイス上でアクセス可能な前記１つ以上の通信フィーチャとを前記サーバによって一時的に無効にする工程と、
を備えるコンピュータ実装方法。
【請求項１３】
前記モバイルデバイスに関連付けられている前記第１通信フィーチャを一時的に無効にする工程は、前記第１通信フィーチャに関係付けられる前記モバイルデバイスにより受信される少なくともいくつかの通信を遮断することを含む、請求項１２に記載の方法。
【請求項１４】
前記妨害禁止通知を前記サーバに送信する工程は、前記モバイルデバイスに関連付けられている第２通信フィーチャを一時的に無効にするために前記妨害禁止通知を前記サーバに送信することを含む、請求項１２に記載の方法。
【請求項１５】
前記モバイルデバイスが既に前記静止している表示画面下向き状態または前記動いている表示画面下向き状態のうちの１つの状態ではなくなっていることを検知する工程と、
前記モバイルデバイスが既に前記静止している表示画面下向き状態または前記動いている表示画面下向き状態のうちの１つの状態ではなくなっていることを検知することに応じて、前記モバイルデバイスに関連付けられている一時的に無効にした前記第１通信フィーチャを有効にし、アクティブ通知を前記サーバに送信する工程と、
をさらに備える請求項１２に記載の方法。
【請求項１６】
１つ以上のプロセッサと、
命令を含むメモリと、を備え、前記命令は、前記１つ以上のプロセッサによる実行時に、前記１つ以上のプロセッサに、
妨害禁止モードがユーザのモバイルデバイス上で作動させられたときにサーバによって一時的に無効にされる１つ以上の通信フィーチャの選択を前記ユーザから受信することであって、前記１つ以上の通信フィーチャは、前記ユーザに属する１つ以上の付随的なデバイス上でアクセス可能であり、前記ユーザのモバイルデバイス上でアクセス可能でない、受信することと、
前記サーバが、前記モバイルデバイスが前記妨害禁止モードを作動させたことを示す妨害禁止通知を前記ユーザの前記モバイルデバイスから受信することであって、前記妨害禁止通知は、前記モバイルデバイスの表示画面が下方に向いている物理的配向を示している、受信することと、
前記サーバが、前記モバイルデバイスの前記表示画面が下方に向いている前記物理的配向を示している前記妨害禁止通知を受信することに応じて、前記ユーザに属する前記１つ以上の付随的なデバイス上でアクセス可能な前記１つ以上の通信フィーチャを一時的に無効にすることと、を行わせるシステム。
【請求項１７】
命令を記憶した非一時的な機械可読媒体であって、前記命令は、機械による実行時に、前記機械に動作を実行させ、前記機械可読媒体は、
妨害禁止モードがユーザのモバイルデバイス上で作動させられたときにサーバによって一時的に無効にされる１つ以上の通信フィーチャの選択を前記ユーザから受信するための命令であって、前記１つ以上の通信フィーチャは、前記ユーザに属する１つ以上の付随的なデバイス上でアクセス可能であり、前記ユーザのモバイルデバイス上でアクセス可能でない、命令と、
前記サーバが、前記モバイルデバイスが前記妨害禁止モードを作動させたことを示す妨害禁止通知を前記ユーザの前記モバイルデバイスから受信するための命令であって、前記妨害禁止通知は、前記モバイルデバイスの表示画面が下方に向いている物理的配向を示している、命令と、
前記サーバが、前記モバイルデバイスの前記表示画面が下方に向いている前記物理的配向を示している前記妨害禁止通知を受信することに応じて、前記ユーザに属する前記１つ以上の付随的なデバイス上でアクセス可能な前記１つ以上の通信フィーチャを一時的に無効にするための命令と、を含む非一時的な機械可読媒体。
【請求項１８】
前記１つ以上のプロセッサに、
前記妨害禁止モードが前記ユーザの前記モバイルデバイス上で作動させられたときに一時的に無効にされる、通信サービスのうち前記モバイルデバイスに関連付けられている通信フィーチャの前記ユーザによる選択を受信することと、
前記モバイルデバイスが前記妨害禁止モードを作動させたとき、前記モバイルデバイスに関連付けられている、選択された前記通信フィーチャを一時的に無効にすることと、
を行わせる、請求項１６に記載のシステム。
【請求項１９】
前記モバイルデバイスに関連付けられている選択された前記通信フィーチャを一時的に無効にすることは、前記モバイルデバイスによる新しい電子メールメッセージの受信を一時的に停止することを含む、請求項１８に記載のシステム。
【請求項２０】
前記モバイルデバイスに関連付けられている選択された前記通信フィーチャを一時的に無効にすることは、前記モバイルデバイスに対する着信呼を一時的にブロックすることを含む、請求項１８に記載のシステム。